(57)【特許請求の範囲】
【請求項１】
複数のキャビネット内に収納された複数の物理ホストにまたがる仮想マシンの計算負荷を分散させるための方法であって、
資産管理部を提供することであって、前記資産管理部は、前記複数の物理ホストの各々の物理的位置を管理し、前記資産管理部は、前記複数のキャビネットの各々の物理的セキュリティ状態をさらに管理する、ことと、
前記資産管理部により、前記仮想マシンの前記計算負荷の各々の物理的セキュリティ要件を求めることと、
前記資産管理部により、前記複数の物理ホストの各々の前記物理的位置に依存する第１のポリシー、前記複数の物理ホストを収納する前記複数のキャビネットの各々の前記物理的セキュリティ状態に依存する第２のポリシー、および前記仮想マシンの前記計算負荷の各々の前記物理的セキュリティ要件に依存する第３のポリシーに従って、前記複数の物理ホストにまたがる前記仮想マシンの前記計算負荷を分散させることと、
を含む方法。
【請求項２】
前記第１のポリシーが、前記複数のキャビネットの各々の底部を始点として上昇していく方式で、前記複数の物理ホストの各々に前記計算負荷を分散させるための指示を含む、請求項１に記載の方法。
【請求項３】
前記第１のポリシーが、冷却部に近づく近接度合いに基づいて、前記複数の物理ホストの各々に前記計算負荷を分散させるための指示を含む、請求項２に記載の方法。
【発明の詳細な説明】
【技術分野】
【０００１】
データセンタでの仮想化は、実際のサーバからサーバ上で実行中のアプリケーションを切り離す。通常、仮想化管理ツールは、ＩＰアドレスを経由して特定の論理サーバ上で実行中のアプリケーションの可視性を提供する。これは、図１に見られる業界トップの仮想化ソフトウェアベンダ、ＶＭＷａｒｅのスクリーンショット１０によって明示される。
【背景技術】
【０００２】
図１に示される画面の左側は、ＩＰアドレスごとのホスト、およびそれらのホスト上で実行中のアプリケーションを記載する。この図は論理表示である。この図はホストおよびアプリケーションの物理表示を示していないため、不完全な図である。
【先行技術文献】
【特許文献】
【０００３】
【特許文献１】特開２００９−２５２０５６号公報
【特許文献２】特開平９−１９８３４６号公報
【発明の概要】
【発明が解決しようとする課題】
【０００４】
論理表示を補足する図が、図２に示される。
【課題を解決するための手段】
【０００５】
図２の表示は、ラック１４内部の２つの仮想ホスト１２を示す。仮想ホスト１２上に示されるボックス１６内部の数字は、そのホスト上に常駐している仮想マシンの数を表す。ボックスをクリックする、またはロケーションツリーを参照することによって、仮想ホストの詳細を決定できる。この物理仮想化表示は、仮想マシンの設置についてのより優れた情報に基づいた決定を下すことを可能にする。
【０００６】
通常、仮想化管理ツール内部には負荷バランシング機能がある。ホストの機能クラスタは、負荷バランシング決定のための枠組みとして形成される。これによって、機能ホスト間で作業負荷を均等に分配できるようになる。この機能は、物理バランシングには及ばない。
【０００７】
論理的にバランスを失ったクラスタの例が図３に示される。この図では、クラスタ２０内部の各矩形１８が、そのクラスタの物理サーバ（つまりホスト）を表す。物理サーバ２０内部の各仮想マシン２２は、オペレーティングシステム（ＯＳ）２６上で１つまたは複数のアプリケーション２４を実行する。
【０００８】
図３中と同じクラスタは、図４で、論理的にバランスが取れているとして示されている。（等しい作業負荷であると仮定される）すべての仮想マシン２２は、現在、図４で、同じ機能（たとえば、会計、マーケッティングおよびエンジニアリング）のすべての仮想ホスト１８全体で均等に拡散している。
【０００９】
図５は、論理的にバランスが取れた作業負荷の仮定的な物理表示３０を示す。ホスト１８は、キャビネット３２内部に示されている。共通クラスタ機能の仮想ホストは物理キャビネット３２内部に散在しているので、１つのポリシーに従って、結果は物理的にバランスを失した負荷であると見なされる。たとえば、図５に示される物理的にバランスを失した負荷は、物理的にバランスが取れた負荷が生じさせるよりも効率的ではない物理インフラリソースの使用を生じさせることがある。図５に示される物理的にバランスを失した負荷を冷却するには、ラックの下部に可能な限り近いホスト１８にすべての仮想マシン２２が割り当てられている物理的にバランスが取れた負荷を冷却するよりも多くの冷気が必要になる。また、三相電力が使用されている場合、３つの相全体でバランスが取れていないとき、配電は非効率である。
【００１０】
仮想マシンが実行中である装置の物理的な場所を示すシステムの図がない場合、図４および図５に示されるこの論理バランシングが物理バランシングに対してマイナスの影響を及ぼしているかどうかを知る術はない。仮想マシンが実行中であるホストの物理的態様を考慮に入れる仮想化可視化および分配システムに対するニーズがある。
【図面の簡単な説明】
【００１１】
【図１】図１は、ＶＭＷａｒｅのスクリーンショットである。
【図２】図２は、論理表示を補足する図である。
【図３】図３は、論理的にバランスを失ったクラスタの例である。
【図４】図４は、論理的にバランスが取れているクラスタの例である。
【図５】図５は、論理的にバランスが取れた作業負荷の仮定的な物理表示を示す図である。
【図６】図６は、物理キャビネットクラスタのためにバランスが取り直された論理的負荷を示す図である。
【発明を実施するための形態】
【００１２】
資産管理機能によって物理表示が有効にされた状態で、物理クラスタはキャビネット３２として定義できる。負荷のバランスが物理キャビネットクラスタによって取られる場合、バランスが取れた物理的負荷が、物理インフラ支援の効率的な使用を可能にする。
【００１３】
図６は上記に示されたのと同じであるが、Ｐａｎｄｕｉｔ  Ｃｏｒｐ．のＰｈｙｓｉｃａｌ  Ｉｎｆｒａｓｔｒｕｃｔｕｒｅ  Ｍａｎａｇｅｍｅｎｔ  Ｓｙｓｔｅｍ（物理インフラ管理システム）等の例示的な物理インフラ管理システムによって定義される物理キャビネットクラスタのためにバランスが取り直された論理的負荷を示す。
【００１４】
図６に示される仮想マシン作業負荷は、最適化のための１つのポリシーに従った最適物理インフラ使用量のためにバランスが取れている。このポリシーでは、負荷はキャビネット３２間で均等に分配され、冷気が供給される場所であるキャビネットの底部に集中している。この作業負荷の分配は、機能クラスタの定義に背くことなく達成された。
【００１５】
本発明の他の実施形態では、物理キャビネット内部での負荷の分配に他のポリシーが適用されてよい。さらに、ポリシーは積み重ねられてよく、したがって第１の（つまり一次的な）ポリシーが最初に履行され、第２の（つまり二次的な）かつ以後のポリシーは、第１のポリシーを履行した後にのみ、第１のポリシーの履行に従って履行される。たとえば、第１のポリシーでは、ラックが下から上に計算負荷をかけられるように負荷を分散させることとなり、第２のポリシーでは、冷却部に近いラックが、冷却部から遠いラックより先に仮想マシンに装着されるように負荷を分散させることとなる。
【００１６】
上記の例は、仮想マシンおよび仮想ホストの物理表示がどのようにして、仮想化管理ツールによって提供される典型的な論理表示を補足できるのかを明示する。また、キャビネットおよびデータセンタ内部の仮想ホスト場所に基づいて物理クラスタを定義することによって、物理インフラ使用に関する効率を上げることができる。
【００１７】
ホストが物理的にどこに配置されているのか、および何のホスト仮想マシンが実行中であるのかを知っている資産管理システムに基づいている、上述された構造が、ポリシーを書き込むことができる枠組みを提供する。ポリシーは、セキュリティまたはエネルギーの管理に関連付けることができる。たとえば、ホストの配備の物理態様を考慮しない場合、仮想マシンが、すべて特定のキャビネット内部に、またはデータセンタ内部の列に配置され、その結果、狭い物理領域に大量の冷却が必要となることになる。物理クラスタ内部のバランシングに基づいて作業負荷を再配分するためのポリシーを設定することによって、冷却供給は、分配様式でより効率的に送達できる。セキュリティに基づいたポリシーも、このシステムによって実行され、有効にされ得る。論理クラスタによって提供される可視性は物理表示を含まないため、きわめて安全なまたは高感度の仮想マシンは、安全ではない物理領域内にあるハードウェア上で実行されることがある。特定の感度の作業負荷を、識別されたキャビネットまたはデータセンタから構成される物理的に安全な環境だけで強制的に実行させるためにポリシーを書き込むことができる。
【符号の説明】
【００１８】
１０  スクリーンショット
１２  仮想ホスト
１４  ラック
１６  ボックス
１８  仮想ホスト
２２  仮想マシン
２４  アプリケーション
２６  オペレーティングシステム（ＯＳ）
３０  物理表示
３２  物理キャビネット
【図１】
0006317513.tif 000002
【図２】
0006317513.tif 000003
【図３】
0006317513.tif 000004
【図４】
0006317513.tif 000005
【図５】
0006317513.tif 000006
【図６】
0006317513.tif 000007